(57)【特許請求の範囲】
【請求項１】
携帯性を有する開錠装置と、ドアロック装置とを備えるドアロックシステムであって、
前記開錠装置は、
データを内部メモリに記憶する機能と、
前記内部メモリに記憶された前記データをコマンドとして前記ドアロック装置へ送信する機能と、
前記ドアロック装置からの前記コマンドに対するレスポンスを受信する機能と、
電磁誘導方式により前記ドアロック装置に電力を送電する機能とを備え、
前記ドアロック装置は、
電気錠と、
前記開錠装置からコマンドとして送信された前記データを受信する機能と、
前記受信されたデータを判別し前記電気錠を開錠するための認証を行う機能と、
前記コマンドに対するレスポンスを前記開錠装置に対して送信する機能と、
前記電磁誘導方式により前記開錠装置より電力を受電する機能と、
前記電磁誘導方式により受電した電力を用いて前記電気錠を施開錠する機能と、
前記受電した電力から２種類の異なる電源電圧を生成する機能とを備え、
前記コマンド及びレスポンスの送信及び受信は無線方式によって行われ、
前記受電した電力から２種類の異なる電源電圧を生成する機能は、
前記電力を受電し、前記データを受信するアンテナに接続された整流回路に対して並列に接続された、第１の定電圧回路と、第２の定電圧回路とを備え、
前記第１の定電圧回路により、前記ドアロック装置の全体を制御するコントローラを駆動するための電源電圧を生成し、
前記第２の定電圧回路により、前記電気錠を駆動するための電源電圧を生成するものである
ことを特徴とするドアロックシステム。
【請求項２】
前記開錠装置が行う前記コマンドの送信は、前記開錠装置から電磁誘導方式により電力を送電するために送出する搬送波に変調信号を重畳して行い、前記ドアロック装置が行う前記レスポンスの送信は、前記開錠装置から電磁誘導方式により電力を送電するために送出された搬送波に変調信号を重畳して行うことを特徴とする請求項１に記載のドアロックシステム。
【発明の詳細な説明】
【技術分野】
【０００１】
本発明は、様々な施設の部屋やボックスなど、例えば、宿泊施設における客室、会議室、ロッカー、集合住宅の宅配ボックス、金庫等の、ドアの錠の施開錠を制御するドアロックシステムに関するものである。
【背景技術】
【０００２】
近年、セキュリティの向上及び利便性からＩＣカードや磁気カードとそのカード用のリーダライタを用いた、様々なドアロックシステムが提案されている。
【０００３】
図７は、従来のドアロックシステムの一例を示す図であり、特許文献１に記載のカード式客室鍵集中制御システムの構成を示したものである。このシステムは、ホテル等の施設において、客室の施錠／開放を集中制御するシステムとして開示されたものであり、顧客の所有するクレジットカードを部屋の鍵として利用することにより、毎回専用カードを発行する必要がないので、運用経費を低く抑えることができる認証システムとして提案されている。
【０００４】
この例では、図７に示すように、フロントでチェックインする際、顧客が持つクレジットカード３１の内容を読取り、このクレジットカード３１をその顧客に割当てた客室の入室用鍵とするように登録し、各客室のカード式鍵に対応する端末３３をセンタ装置３２で集中制御するよう構成している。
【０００５】
各客室の端末３３は、入室用鍵として挿入されたクレジットカード３１の内容を読取り、センタ装置３２にそのクレジットカード３１がその客室用の入室鍵として登録されたクレジットカード３１であるか否かを問合せ、センタ装置３２から登録済のクレジットカード３１である旨の応答を得ることによって、その客室のドアを開放するものである。
【０００６】
図８は、従来のドアロックシステムの他の例を示す図であり、特許文献２に記載のセキュリティシステムの構成を示したものである。このシステムは、停電時に、バックアップ動作時間を引き延ばしつつ、在室者が残っている区画やセキュリティレベルの高い区画は最後まで監視することができるようにしたセキュリティシステムとして提案されている。
【０００７】
この例では、図８に示すように、区画５２または５３において、カードリーダ４４によりＩＤカード４６に記憶された認証用データを読み込んでコントローラ４１に送信し、ＣＰＵ４２によりコントローラ４１内のメモリに登録されているデータと照合して認証を行い、その結果に基づいて電気錠４５の施錠及び解錠を行う。このシステムは、停電時に電力線４７及び４８を介して電気錠４５及びカードリーダ４４に対して電力を提供するバックアップ用のバッテリ４３を備え、コントローラ４１においてバッテリ４３のバッテリ残量を監視して、バッテリ残量が一定値以下になった場合に、セキュリティレベルの低い区画あるいは在室者のいない区画から順にカードリーダ４４及び電気錠４５への電力供給を停止させ動作時間を引き延ばすというものである。
【０００８】
【特許文献１】特開平６−２４０９３７号公報
【特許文献２】特開２００９−００９２６８号公報
【発明の開示】
【発明が解決しようとする課題】
【０００９】
特許文献１のシステムを新たに設置する場合は、カード式客室鍵集中制御システムの被制御機器である各端末と集中制御するセンタ装置間において通信線を配線工事する必要がある。また、各端末へ電力を給電するために電力線を配線工事する必要がある。これらの配線工事には高額の費用を要すると共に、ドアのヒンジ部等では度重なるドアの開閉により通信線及び電力線の断線障害が発生しやすいという課題がある。
【００１０】
また、停電等によってセンタ装置及び各端末への電力給電が停止した場合、全ての機能が一斉に利用できなくなるという課題がある。
【００１１】
特許文献２の例は、バックアップ用のバッテリを装備し商用電源が停電時に備え且つ電力を給電する区画を限定しバッテリの動作時間を引き延ばすというものである。しかし、このシステムを設置する場合にも各部屋の端末の電力線及び通信線の配線工事を行う必要があり、同様に配線工事に高額な費用を要することや、ドアのヒンジ部等で度重なるドアの開閉により通信線及び電力線が断線しやすいという課題がある。
【００１２】
また、両者のシステムは共に、電気錠の開錠制御を行う必要のない待機状態においても各区画に設置されたカードリーダやコントローラ等に電源を給電する必要があり、常に電力を消費しているという課題がある。
【００１３】
本発明の目的は前記の従来技術の課題を解決し、通信線及び電力線の配線工事を必要とせず、待機状態での電力消費を少なくし、商用電源が停電時でも施開錠できるドアロックシステムを提供することにある。
【課題を解決するための手段】
【００１４】
上記課題を解決するため、本発明によるドアロックシステムは、携帯性を有する開錠装置と、ドアロック装置とを備えるドアロックシステムであって、前記開錠装置は、データを内部メモリに記憶する機能と、前記内部メモリに記憶された前記データをコマンドとして前記ドアロック装置へ送信する機能と、前記ドアロック装置からの前記コマンドに対するレスポンスを受信する機能と、電磁誘導方式により前記ドアロック装置に電力を送電する機能とを備え、前記ドアロック装置は、電気錠と、前記開錠装置からコマンドとして送信された前記データを受信する機能と、前記受信されたデータを判別し前記電気錠を開錠するための認証を行う機能と、前記コマンドに対するレスポンスを前記開錠装置に対して送信する機能と、前記電磁誘導方式により前記開錠装置より電力を受電する機能と、前記受電した電力から２種類の異なる電源電圧を生成する機能とを備え、前記コマンド及びレスポンスの送信及び受信は無線方式によって行われ、前記受電した電力から２種類の異なる電源電圧を生成する機能は、前記電力を受電し、前記データを受信するアンテナに接続された整流回路に対して並列に接続された、第１の定電圧回路と、第２の定電圧回路とを備え、前記第１の定電圧回路により、前記ドアロック装置の全体を制御するコントローラを駆動するための電源電圧を生成し、前記第２の定電圧回路により、前記電気錠を駆動するための電源電圧を生成するものであることを特徴とする。
【００１５】
ここで、前記開錠装置が行う前記コマンドの送信は、前記開錠装置から電磁誘導方式により電力を送電するために送出する搬送波に変調信号を重畳して行い、前記ドアロック装置が行う前記レスポンスの送信は、前記開錠装置から電磁誘導方式により電力を送電するために送出された搬送波に変調信号を重畳して行ってもよい。
【発明の効果】
【００１７】
以上のように、本発明によれば、携帯型の開錠装置から電源が給電されるので、ドアロック装置へ電源を給電する電力線の配線工事を必要としないドアロックシステムが得られる。よって、ドアのヒンジ部等で電力線の断線障害の無いドアロックシステムが得られる。さらに、商用電源が停電しても施開錠できるドアロックシステムが得られる。
【００１８】
また、本発明では、開錠装置とドアロック装置間で電磁誘導方式などを含めた無線方式によりコマンドとレスポンスの送受信を行うことにより、通信線の配線工事を必要としないドアロックシステムが得られる。よって、ドアのヒンジ部等で通信線の断線障害の無いドアロックシステムが得られる。さらに、開錠装置から電磁誘導方式により電力を送電するために送出する搬送波、または送出された搬送波に変調信号を重畳してコマンドとレスポンスの送受信を行うことにより、電力の送受電と信号の送受信でアンテナなどの部分を共有でき、よりシステムを簡素化できる。
【００１９】
また、前記ドアロック装置が、受電した電力から少なくとも２種類の異なる電源電圧を生成する機能を備えることにより、より効率的にシステムを構成できる。例えば、２種類の電源電圧をコントローラ用の電圧Ｖ１と電気錠用の電圧Ｖ２とし、Ｖ１＜Ｖ２とすると、コントローラ部の電圧Ｖ１より高い電圧Ｖ２を要する電気錠を駆動する必要がない場合、すなわち、ドアロック装置へ開錠データの正当性を判別するための登録データの設定及び更新を行う場合等では、電気錠を駆動できる電圧Ｖ２のレベルまで電力の受電及び蓄電を行う必要がないので、待機状態での電力消費を少なくするドアロックシステムが得られる。
【００２０】
以上のように、本発明により、通信線及び電力線の配線工事を必要とせず、待機状態での電力消費を少なくし、商用電源が停電時でも施開錠できるドアロックシステムが得られる。
【図面の簡単な説明】
【００２１】
【図１】本発明に係るドアロックシステムの第１の実施の形態を示す構成図。
【図２】本発明に係るドアロックシステムの第２の実施の形態を示す構成図。
【図３】第１の実施の形態の整流回路、定電圧回路、蓄電回路、電圧検出回路の回路構成の概念図。
【図４】第２の実施の形態の整流回路、定電圧回路、蓄電回路、電圧検出回路の回路構成の概念図。
【図５】第１の実施の形態の開錠装置とドアロック装置間の基本的な通信手順の概略を示すシーケンス図。
【図６】第２の実施の形態の開錠装置とドアロック装置間の基本的な通信手順の概略を示すシーケンス図。
【図７】従来のドアロックシステムの一例を示す図。
【図８】従来のドアロックシステムの他の例を示す図。
【発明を実施するための形態】
【００２２】
以下、本発明の実施の形態について、図面を参照して詳細に説明する。
【００２３】
図１は本発明に係るドアロックシステムの第１の実施の形態を示す構成図である。図１において、本実施の形態のドアロックシステムは、開錠装置１とドアロック装置２とを備えるドアロックシステムであって、開錠装置１とドアロック装置２は、それぞれ電磁誘導によって電力の送受電及びコマンドとレスポンスの送受信を行うためのアンテナ９及び１２を備えている。開錠装置１は、データを内部メモリであるメモリ回路１１に記憶する機能と、メモリ回路１１に記憶されたデータをコマンドとしてアンテナ９を介してドアロック装置２へ送信するコマンド送信回路８と、ドアロック装置２からのコマンドに対するレスポンスをアンテナ９を介して受信するレスポンス受信回路７と、電磁誘導方式によりドアロック装置２にアンテナ９を介して電力を送電する電力送電回路１０とを備え、携帯性を備えている。ドアロック装置２は、電気錠２０と、開錠装置１からコマンドとして送信されたデータをアンテナ１２を介して受信するコマンド受信回路２１と、受信されたデータを判別し電気錠２０を開錠するための認証を行う機能と、コマンドに対するレスポンスをアンテナ１２を介して開錠装置１に対して送信するレスポンス送信回路２２と、電気錠２０を施開錠する電気錠ドライバ１９と、電磁誘導方式によりアンテナ１２を介して前記開錠装置より電力を受電する整流回路１３などを備え、ドアロック装置２は電磁誘導方式により受電した電力を用いて電気錠２０を開錠する。
【００２４】
また、本実施の形態のドアロックシステムでは、開錠装置１が行うコマンドの送信は、開錠装置から電磁誘導方式により電力を送電するために送出する搬送波に変調信号を重畳して行い、ドアロック装置２が行うレスポンスの送信は、開錠装置１から電磁誘導方式により電力を送電するために送出された搬送波に変調信号を重畳して行う。
【００２５】
開錠装置１において、メモリ回路１１は動作プログラム及び開錠データを記憶する。また、開錠装置１は、開錠装置１を駆動するためのバッテリ回路５、電力の送電とコマンド及びレスポンスの送受信の指示を入力する操作器４、動作状態を示す表示器３、開錠装置１の全体を制御するコントローラ６を有する。
【００２６】
バッテリ回路５は充電可能なものが望ましく、図示しない充電回路によって充電される。
【００２７】
操作器４は、例えばスイッチやテンキー等からなる。操作器４の所定のスイッチやキー操作を行うことで、ドアロック装置２への電磁誘導による電力の送信、ドアロック装置２へのコマンドの送信、及びドアロック装置２からのレスポンスの受信を行う。ドアロック装置２へ送信するコマンドの種類は、少なくとも、開錠データを送信するコマンド、ドアロック装置２が開錠データを判別し認証を行うためのデータを登録するコマンド、電気錠２０の施開錠状態を取得するコマンド、蓄電回路１６の電圧レベルを取得するコマンドがある。
【００２８】
表示器３は、例えばＬＣＤやＬＥＤランプ等からなる。操作器４の操作に従い、電気錠２０の施開錠状態、蓄電回路１６の電圧レベル等の情報を表示する。
【００２９】
メモリ回路１１には開錠装置１の動作プログラム及びドアロック装置２の開錠データ等を記憶しておく。ドアロック装置２の開錠データは図示しないインタフェース、例えばＵＳＢやＲＳ−２３２Ｃ等を介してメモリ回路１１に記憶する。
【００３０】
電力送電回路１０はアンテナ９とのインピーダンスを整合する図示しない整合回路と、図示しないＥＭＣフィルタと、図示しないドライバ回路などから構成され、コントローラ６から送信する信号で前記ドライバ回路が入力をスイッチングして送電電力波形に変換し、アンテナ９へ送出する。アンテナ９及び１２としては、一般的な非接触電力伝送、近接通信などで用いられるループアンテナなどを用いることができる。
【００３１】
レスポンス受信回路７は、アンテナ９で受信した、ドアロック装置２からのレスポンスのデータで変調された信号を復調しコントローラ６へ送出する。
【００３２】
コマンド送信回路８はコントローラ６から送信するコマンドを受け、送電電力波形を搬送波としてこの搬送波にコマンドのデータによる変調波を重畳し、アンテナ９へ送出する。
【００３３】
ドアロック装置２において、整流回路１３は、アンテナ１２を介して電磁誘導により受電した電力を直流の電力とするための整流を行い、整流回路１３で整流した直流電圧を安定化させる定電圧回路１４、定電圧回路１４で電圧を安定化させた電力を蓄える蓄電回路１６、蓄電回路１６に蓄電されている電力の電圧レベルを検出しコントローラ１７へ電圧検出信号を送出する電圧検出回路１５を備える。また、コマンド受信回路２１は、アンテナ１２で受信したコマンドを復調してコントローラ１７へ送出する。コントローラ１７は、コマンドに従って処理を行い、その処理結果をレスポンスとしてレスポンス送信回路２２へ送出する。レスポンス送信回路２２は、レスポンスのデータにより搬送波を変調してアンテナ１２へ送出する。また、ドアロック装置２は、ドアロック装置２の動作プログラムと開錠装置１からの開錠データを判別し認証を行うためのデータを記憶するメモリ回路２３、動作状態を表示する表示器１８、電気錠２０を駆動する電気錠ドライバ１９、ドアのロックを行う電気錠２０を有する。
【００３４】
電気錠２０は常にスプリングで錠から飛び出している先端が三角状のラッチボルトと、回転することでラッチボルトを錠内に引き入れるドアノブと、ドアノブの回転を禁止する自己保持型のソレノイドからなる。電気錠２０はドアに設置され、電気錠２０のラッチボルトが対向するドア枠側には受け座の穴がある。施錠とは、飛び出しているラッチボルトが対向するドア枠の受け座の穴に入り、ドアノブは自己保持型のソレノイドで回転できないようにロックされている状態である。開錠とは、自己保持型のソレノイドに電気錠ドライバ１９からパルス状に電力を給電しドアノブの回転ロックを解いた状態に保持されている状態である。この状態で、ドアノブを回転しドアを開放することができる。再施錠の動作は、ドアノブを回転しラッチボルトを錠内に引き入れたときに自己保持されたソレノイドを開放する。そして、回転したドアノブを元に戻した位置で回転できないように再ロックされるものである。開放されたドアを閉める際のラッチボルトは、スプリングと三角状の先端により対向する受け座の穴に滑り込む構造であって、特に前記自己保持型のソレノイドを操作する必要は無い。
【００３５】
電気錠ドライバ１９は、コントローラ１７からの開錠信号を受けて、電気錠２０の自己保持型のソレノイドへ、蓄電回路１６に蓄えられた電力により上記のパルス状の電力の給電を行う。
【００３６】
メモリ回路２３はドアロック装置２が動作するためのプログラムと、開錠装置１から送出される開錠データを判別し認証するためのデータを記憶する。
【００３７】
表示器１８は、例えばＬＣＤやＬＥＤランプ等からなり、ドアロック装置２の状態、例えば施開錠状態や蓄電回路１６の電圧レベル等を表示する。
【００３８】
図３は、第１の実施の形態の、整流回路１３、定電圧回路１４、蓄電回路１６、電圧検出回路１５の回路構成の概念図を示す。整流回路１３はダイオードブリッジ等を用いた整流回路であってもよい。定電圧回路１４はリニアレギュレータまたはスイッチングレギュレータなどであってもよい。蓄電回路１６には高容量の電気二重層コンデンサ等を用いるのがよい。容量については使用する電気錠の自己保持型ソレノイドを駆動でき、コントローラを駆動できるものを選定する。電圧検出回路１５は、蓄電回路１６の電圧を監視し、コントローラの駆動及び電気錠の駆動が可能な電力が蓄電されたかを判断し、コントローラへ通知する。この通知信号はコントローラのリセット解除信号等に用いてもよい。
【００３９】
図５は、第１の実施の形態の、開錠装置１とドアロック装置２間の基本的な通信手順の概略を示すシーケンス図である。
【００４０】
図５において、最初のステップＳ１で開錠装置１は電力送電を開始する。ドアロック装置２は開錠装置１から送電される電力を受電し、整流し、定電圧化を行い蓄電回路１６へ蓄電する。
【００４１】
次のステップＳ２で開錠装置１は電圧レベル取得コマンドを送信する。ドアロック装置２は、未だ蓄電を完了せず、電気錠及びコントローラを駆動するのに十分な電力でない場合は無応答である。この場合、開錠装置１はレスポンスが返るまで電圧レベル取得コマンドを繰り返し送信する。
【００４２】
ステップＳ３として、蓄電回路１６に十分な電力が蓄電された後に電圧レベル取得コマンドを送信すると、ステップＳ４として電気錠とコントローラを駆動可能な状態に蓄電が完了した旨のレスポンスが返る。
【００４３】
次のステップＳ５として、開錠装置１は開錠データ送信コマンドを送信する。ドアロック装置２は送信された開錠データが開錠すべき正しいデータかをメモリ回路に登録されたデータに基づいて判別し、開錠データが正当と認証したときのみ電気錠２０を開錠し、ステップＳ６としてレスポンスを返す。開錠データが正当と認証できなかった場合はその旨のレスポンスを返し、開錠装置１はそのレスポンスに従いエラー処理、例えば開錠データ送信コマンドを再送する、または、更新した開錠データで開錠データ送信コマンドを再送する等の処理を行なう。
【００４４】
次にステップＳ７として開錠装置１は開錠状態取得コマンドを送信し、ステップＳ８としてドアロック装置２からのレスポンスを受け、開錠状態であることを確認し、その後、最後にステップＳ９として電力送電を終了する。
【００４５】
上記のように、本実施の形態では、電磁誘導で電力送電及び通信を行うことで高額な配線工事が不要となり、停電時にも動作可能であり、待機時の電力消費が無いドアロックシステムが得られる。
【００４６】
図２は本発明に係るドアロックシステムの第２の実施の形態を示す構成図である。
【００４７】
本実施の形態のドアロックシステムに用いる開錠装置１は第１の実施の形態に用いた開錠装置１と同じである。本実施の形態においては、ドアロック装置２６が、受電した電力から２種類の異なる電源電圧を生成する機能を備えていることのみが第１の実施の形態と異なっている。
【００４８】
図２において、ドアロック装置２６は、受電した電力を整流回路１３により直流に整流した後、電気錠２０の駆動用の電力として蓄電回路１６に送出する第２の定電圧回路２４と、受電した電力を直流に整流した後、コントローラ駆動用としてコントローラ１７と電圧検出回路１５に送出する第１の定電圧回路２５とを備えている。第２の定電圧回路２４で電圧を安定化させた電力は蓄電回路１６で蓄えられ、第１の定電圧回路２５の電圧レベルは電圧検出回路１５で検出され、その電圧検出信号がコントローラ１７へ送出される。アンテナ１２、コントローラ１７、コマンド受信回路２１、レスポンス送信回路２２、メモリ回路２３、表示器１８、電気錠ドライバ１９などの構成、機能は第１の実施の形態のドアロック装置２と同様である。
【００４９】
図４は、第２の実施の形態の、整流回路１３、第１の定電圧回路２５、第２の定電圧回路２４、蓄電回路１６、電圧検出回路１５の回路構成の概念図を示す。整流回路１３はダイオードブリッジ等を用いた整流回路でよい。第１の定電圧回路２５はコントローラの駆動用でありリニアレギュレータまたはスイッチングレギュレータなどでよい。第２の定電圧回路２４は電気錠の駆動用でありリニアレギュレータまたはスイッチングレギュレータなどでよい。ここで、第１の定電圧回路２５の出力電圧は第２の定電圧回路２４の出力電圧よりも小さい。蓄電回路１６には高容量の電気二重層コンデンサ等を用いる。電圧検出回路１５は第１の定電圧回路２５の電圧を監視し、コントローラの駆動が可能なレベルになった場合にコントローラへ通知する。この通知信号はコントローラのリセット解除信号等に用いてもよい。蓄電回路１６の蓄電された電力の監視はコントローラの図示しないＡＤ変換回路で行う。
【００５０】
図６は、第２の実施の形態の、開錠装置１とドアロック装置２６間の基本的な通信手順の概略を示すシーケンス図である。
【００５１】
図６において、最初にステップＳ１０として開錠装置１は電力送電を開始する。ドアロック装置２６は開錠装置１から送電される電力を受電し、整流回路１３で整流し、第２の定電圧回路で定電圧化を行い蓄電回路１６へ蓄電を開始する。また、第１の定電圧回路で定電圧化した電圧を電圧検出回路１５で検出し、コントローラへ検出信号を送出する。この信号をコントローラのリセット信号等に用いる。
【００５２】
次に、ステップＳ１１として、開錠装置１は電圧レベル取得コマンドを送信する。ドアロック装置２６はコントローラの図示しないＡＤ変換回路で蓄電回路１６の電圧を計測して電気錠２０の駆動の可否を判定し、ステップＳ１２としてその結果をレスポンスとして送信する。開錠装置１は電気錠が駆動可能とのレスポンスを得るまで電圧レベル取得コマンドを繰り返し送信する。
【００５３】
ステップＳ１３として、電気錠２０を駆動できる電力まで蓄電回路が蓄電された後に電圧レベル取得コマンドを送信すると、ステップＳ１４として電気錠を駆動可能な状態である旨のレスポンスが返る。
【００５４】
次にステップＳ１５として、開錠装置１は開錠データ送信コマンドを送信する。このコマンドを受信したドアロック装置２６は送信された開錠データが正しいかを判別し、開錠データが正しいと認証したときのみ電気錠２０を開錠し、ステップＳ１６としてレスポンスを返す。開錠データが正しいと認証できなかった場合はその旨のレスポンスを返し、開錠装置１はそのレスポンスに従いエラー処理、例えば開錠データ送信コマンドを再送する、または、更新した開錠データで開錠データ送信コマンドを再送する等の処理を行なう。
【００５５】
ステップＳ１７として、開錠装置１は開錠状態取得コマンドを送信し、ステップＳ１８のドアロック装置２６からのレスポンスで開錠状態であることを確認し、最後にステップＳ１９として電力送電を終了する。
【００５６】
第２の実施の形態では、上記のように、電磁誘導で電力を送信後に電気錠が駆動可能になる前に開錠装置１とドアロック装置２６の通信が可能になる。すなわち、電気錠を駆動しない処理、例えば、ドアロック装置に対し、開錠データを判別し認証するための登録データの設定または更新を行う場合等は、電気錠を駆動できるレベルまでの電力送電及び蓄電を必要とせず、短時間で開錠装置とドアロック装置間の通信を開始できるドアロックシステムが得られる。
【００５７】
本発明は、例えば、宿泊施設における客室、会議室、ロッカー、集合住宅の宅配ボックス、金庫等様々なドアの錠の開錠を制御するドアロックシステムに利用することができる。開錠装置としては、電磁誘導で非接触ＩＣカードと通信できるＮＦＣ（Ｎｅａｒ  Ｆｉｅｌｄ  Ｃｏｍｍｕｎｉｃａｔｉｏｎ）機能を搭載した携帯電話なども利用できる。携帯電話を用いることで、開錠データをインターネット等で事前に配信することも可能であり、会議室やロッカー等の予約許可サービス等をインターネット上で行うことも可能である。
【００５８】
なお、本発明は上記の実施の形態に限定されるものではないことはいうまでもなく、目的や用途に合わせて設計変更可能である。例えば、本発明を構成する各機能部分の実現方法は上記の実施の形態の回路構成以外のものであってもよく、また、必要に応じて他の機能を追加しても良い。
【符号の説明】
【００５９】
１    開錠装置
２、２６    ドアロック装置
３、１８    表示器
４    操作器
５    バッテリ回路
６、１７    コントローラ
７    レスポンス受信回路
８    コマンド送信回路
９、１２    アンテナ
１０    電力送電回路
１１、２３    メモリ回路
１３    整流回路
１４    定電圧回路
１５    電圧検出回路
１６    蓄電回路
１９    電気錠ドライバ
２０、４５    電気錠
２１    コマンド受信回路
２２    レスポンス送信回路
２４    第２の定電圧回路
２５    第１の定電圧回路
３１    クレジットカード
３２    センタ装置
３３    端末
４１    コントローラ
４２    ＣＰＵ
４３    バッテリ
４４    カードリーダ
４６    ＩＤカード
４７、４８    電力線
５２、５３    区画
【図１】
0005441223.tif 000002
【図２】
0005441223.tif 000003
【図３】
0005441223.tif 000004
【図４】
0005441223.tif 000005
【図５】
0005441223.tif 000006
【図６】
0005441223.tif 000007
【図７】
0005441223.tif 000008
【図８】
0005441223.tif 000009